(57)【要約】【課題】本発明は加湿装置、除湿装置および空気清浄機に関するものであり、消費電力を抑制しつつ快適性の向上を図るものである。【解決手段】冷媒を圧縮する圧縮機２と冷媒が供給空気に放熱する放熱器３と冷媒を膨張させて減圧する減圧機構４と冷媒が供給空気から吸熱する吸熱器５を接続したヒートポンプ６と、供給された空気を加湿する加湿フィルタ７を備え、第一経路１７において吸気口１１から本体１内に吸い込んだ空気を吸熱器５で吸熱した後に排気口１５から排出するとともに第二経路１８において吸気口１１から本体１内に吸い込んだ空気を放熱器３においてヒートポンプ６の放熱を利用して加熱し、その後に加湿フィルタ７においてこの加熱された空気に対して加湿することにより消費電力を抑えつつ加湿量を大容量化することができるものである。【選択図】 図１
2010091168.tif 000002
【特許請求の範囲】
【請求項１】
冷媒を圧縮する圧縮機と、冷媒が供給空気に放熱する放熱器と、冷媒を膨張させて減圧する減圧機構と、冷媒が供給空気から吸熱する吸熱器とを配管接続したヒートポンプと、供給された空気を加湿する加湿フィルタと、本体内に吸い込まれた空気を前記吸熱器に供給した後に本体外に排出する第一経路と、本体内に吸い込まれた空気を前記放熱器および前記加湿フィルタに供給した後に本体外に排出する第二経路とを備え、前記第二経路において前記放熱器、前記加湿フィルタの順に空気を供給することを特徴とする加湿装置。
【請求項２】
第二経路において、空気の供給順序を加湿フィルタ、放熱器の順に切り換える切換手段を備えたことを特徴とする請求項１記載の加湿装置。
【請求項３】
室内の湿度を検知する湿度センサーを備え、前記湿度センサーの検出値に基づいてヒートポンプの運転停止を制御することを特徴とする請求項１または２記載の加湿装置。
【請求項４】
第一経路と第二経路の排気方向が異なることを特徴とする請求項１から３のいずれかに記載の加湿装置。
【請求項５】
本体内に吸い込まれた空気を浄化する空気清浄部を備え、請求項１から４のいずれかに記載の加湿装置の風上側に前記空気清浄部を配設したことを特徴とする空気清浄機。
【請求項６】
冷媒を圧縮する圧縮機と冷媒が供給空気に放熱する放熱器と冷媒を膨張させて減圧する減圧機構と冷媒が供給空気から吸熱する吸熱器とを配管接続したヒートポンプと、供給された空気を加湿する加湿フィルタと、本体内に吸い込まれた空気を前記吸熱器に供給した後に本体外に排出する第一経路と、本体内に吸い込まれた空気を前記放熱器および前記加湿フィルタに供給した後に本体外に排出する第二経路とを備え、前記第二経路において前記加湿フィルタ、前記放熱器の順に空気を供給することを特徴とする除湿装置。
【請求項７】
第二経路において空気の供給順序を放熱器、加湿フィルタの順に切り換える切換手段を備えたことを特徴とする請求項６記載の除湿装置。
【請求項８】
室内の湿度を検知する湿度センサーと、加湿フィルタに給水する給水手段とを備え、前記湿度センサーの検出値に基づいて給水手段の運転停止を制御することを特徴とする請求項６または７記載の除湿装置。
【請求項９】
室内の温度を検知する温度センサーと、加湿フィルタに給水する給水手段とを備え、前記温度センサーの検出値に基づいて給水手段の運転停止を制御することを特徴とする請求項６または７記載の除湿装置。
【請求項１０】
第一経路と第二経路の排気方向が異なることを特徴とする請求項６から９いずれかに記載の除湿装置。
【請求項１１】
本体内に吸い込まれた空気を浄化する空気清浄部を備え、請求項６から１０のいずれかに記載の除湿装置の風上側に前記空気清浄部を配設したことを特徴とする空気清浄機。
【発明の詳細な説明】
【技術分野】
【０００１】
本発明は、加湿装置、除湿装置および空気清浄機に関する。
【背景技術】
【０００２】
従来の加湿装置としては、湿潤した加湿フィルタにヒータで加熱した乾燥空気を供給して加湿量の大容量化を図るものがあった（例えば特許文献１参照）。
【０００３】
また、従来の除湿装置としては、単純に部屋を除湿するのみにあらず、局所的な冷房を目的に冷風の分離供給を可能にするものがあった（例えば特許文献２参照）。
【０００４】
さらに近年のＩＡＱ意識の高まりから、これら加湿装置や除湿装置の機能を空気清浄機に搭載し、空気を浄化しつつ加湿や除湿を行うというものも提案されている（特許文献３参照）。
【特許文献１】特許第２５１４１４５号公報
【特許文献２】特開２００３−３１４８５５号公報
【特許文献３】特開２００８−２５８９８号公報
【発明の開示】
【発明が解決しようとする課題】
【０００５】
このような従来の加湿装置では、加湿量の大容量化を図るため、加湿フィルタに供給する空気をヒータで加熱する必要があり、消費電力が大きいという課題があった。
【０００６】
また、従来の除湿装置では、冷風とともに逆面から高温の排熱が排出されるため、快適性が低下するという課題があった。
【０００７】
以上のことを鑑み、本発明は、低い消費電力で加湿量の大容量化を図ることができる加湿装置を、また、局所的な冷風供給をより快適性を損なわずに実現することができる除湿装置を、そしてこれらの加湿機能、除湿機能を空気清浄機に搭載し、空気を浄化しつつ省エネで一年中快適環境を創出できる空気清浄機を提供することを目的とするものである。
【課題を解決するための手段】
【０００８】
本発明の加湿装置は、上記目的を達成するために、冷媒を圧縮する圧縮機と冷媒が供給空気に放熱する放熱器と冷媒を膨張させて減圧する減圧機構と冷媒が供給空気から吸熱する吸熱器とを配管接続したヒートポンプと、供給された空気を加湿する加湿フィルタと、本体内に吸い込まれた空気を前記吸熱器に供給した後に本体外に排出する第一経路と、本体内に吸い込まれた空気を前記放熱器および前記加湿フィルタに供給した後に本体外に排出する第二経路とを備え、前記第二経路において前記放熱器、前記加湿フィルタの順に空気を供給することを特徴とする。そして、本発明によれば、本体内に吸い込まれた空気を放熱器に供給しヒートポンプの放熱を利用して加熱した後に加湿フィルタに供給して加湿することにより消費電力を抑えつつ加湿量を大容量化できる加湿装置が得られる。
【０００９】
また、第二経路において空気の供給順序を加湿フィルタ、放熱器の順に切り換える切換手段を備えたことを特徴とする。
【００１０】
また、室内の湿度を検知する湿度センサーを備え、前記湿度センサーの検出値に基づいてヒートポンプの運転停止を制御することを特徴とする。
【００１１】
また、第一経路と第二経路の排気方向が異なることを特徴とする。
【００１２】
また、本発明の空気清浄機は、本体内に吸い込まれた空気を浄化する空気清浄部を備え、上記構成の加湿装置の風上側に前記空気清浄部を配設したことを特徴とする。
【００１３】
また、本発明の除湿装置は、冷媒を圧縮する圧縮機と冷媒が供給空気に放熱する放熱器と冷媒を膨張させて減圧する減圧機構と冷媒が供給空気から吸熱する吸熱器とを配管接続したヒートポンプと、供給された空気を加湿する加湿フィルタと、本体内に吸い込まれた空気を前記吸熱器に供給した後に本体外に排出する第一経路と、本体内に吸い込まれた空気を前記放熱器および前記加湿フィルタに供給した後に本体外に排出する第二経路とを備え、前記第二経路において前記加湿フィルタ、前記放熱器の順に空気を供給することを特徴とする。そして、本発明によれば、加湿フィルタで加湿される際の気化潜熱により温度が低下した空気を放熱器に供給することにより、排熱温度を低下させて快適性を向上するできるとともに凝縮温度の低下によりヒートポンプの効率が向上することで電力消費を抑制することができるという除湿装置が得られる。
【００１４】
また、第二経路において空気の供給順序を放熱器、加湿フィルタの順に切り換える切換手段を備えたことを特徴とする。
【００１５】
また、室内の湿度を検知する湿度センサーと、加湿フィルタに給水する給水手段とを備え、前記湿度センサーの検出値に基づいて給水手段の運転停止を制御することを特徴とする。
【００１６】
また、室内の温度を検知する温度センサーと、加湿フィルタに給水する給水手段とを備え、前記温度センサーの検出値に基づいて給水手段の運転停止を制御することを特徴とする。
【００１７】
また、第一経路と第二経路の排気方向が異なることを特徴とする。
【００１８】
また、本発明の空気清浄機は、本体内に吸い込まれた空気を浄化する空気清浄部を備え、上記構成の除湿装置の風上側に前記空気清浄部を配設したことを特徴とする。
【発明の効果】
【００１９】
本発明によれば、圧縮機、放熱器、減圧機構および吸熱器を配管接続したヒートポンプと、供給された空気を加湿する加湿フィルタを備え、本体内に吸い込まれた空気を放熱器に供給しヒートポンプの放熱を利用して加熱した後に加湿フィルタに供給して加湿することにより消費電力を抑えつつ加湿量を大容量化することができるという効果のある加湿装置を提供できる。
【００２０】
また、圧縮機、放熱器、減圧機構および吸熱器を配管接続したヒートポンプと、供給された空気を加湿する加湿フィルタを備え、本体内に吸い込まれた空気を加湿フィルタに供給して加湿する際の気化潜熱により温度を低下させた後に放熱器に供給することにより、排熱温度を低下させて快適性を向上するとともに凝縮温度を低下させてヒートポンプの効率を向上し電力消費を抑制することができるという効果のある除湿装置を提供できる。
【００２１】
そして、上記構成の加湿装置および除湿装置の風上側に本体内に吸い込まれた空気を浄化する空気清浄部を配設することにより、室内の空気を浄化すると同時に年間を通じて快適な環境を省エネルギーで実現することができる空気清浄機を提供できる。
【発明を実施するための最良の形態】
【００２２】
本発明の請求項１記載の加湿装置は、冷媒を圧縮する圧縮機と冷媒が供給空気に放熱する放熱器と冷媒を膨張させて減圧する減圧機構と冷媒が供給空気から吸熱する吸熱器とを配管接続したヒートポンプと、供給された空気を加湿する加湿フィルタと、本体内に吸い込まれた空気を前記吸熱器に供給した後に本体外に排出する第一経路と、本体内に吸い込まれた空気を前記放熱器および前記加湿フィルタに供給した後に本体外に排出する第二経路とを備え、前記第二経路において前記放熱器、前記加湿フィルタの順に空気を供給するものであり、本体内に吸い込まれた空気を放熱器に供給しヒートポンプの放熱を利用して加熱した後に加湿フィルタに供給して加湿することにより消費電力を抑えつつ加湿量を大容量化することができるという作用を有する。
【００２３】
また、本発明の請求項２記載の加湿装置は、第二経路において空気の供給順序を加湿フィルタ、放熱器の順に切り換える切換手段を備えたことにより、加湿フィルタでの気化潜熱により放熱器での凝縮温度を低下させてヒートポンプの効率を向上し電力消費を抑制できる高効率な除湿運転への切換を行うことができるという作用を有する。
【００２４】
また、本発明の請求項３記載の加湿装置は、室内の湿度を検知する湿度センサーを備え、前記湿度センサーの検出値に基づいてヒートポンプの運転停止を制御するものであり、所定の湿度まで上昇したらヒートポンプを停止することにより無駄な電力消費を抑制することができるという作用を有する。
【００２５】
また、本発明の請求項４記載の加湿装置は、第一経路と第ニ経路の排気方向が異なるものであり、第一経路からの冷風と第ニ経路からの高湿温風が混ざり合うのを抑制して快適性を維持することができるという作用を有する。
【００２６】
また、本発明の請求項５記載の空気清浄機は、本体内に吸い込まれた空気を浄化する空気清浄部を備え、上記構成の加湿装置の風上側に前記空気清浄部を配設したものであり、室内の空気を浄化すると同時に、低消費電力で大容量の加湿を行うことにより、冬季における快適環境を省エネルギーで実現することができるという作用を有する。
【００２７】
また、本発明の請求項６記載の除湿装置は、冷媒を圧縮する圧縮機と冷媒が供給空気に放熱する放熱器と冷媒を膨張させて減圧する減圧機構と冷媒が供給空気から吸熱する吸熱器とを配管接続したヒートポンプと、供給された空気を加湿する加湿フィルタと、本体内に吸い込まれた空気を前記吸熱器に供給した後に本体外に排出する第一経路と、本体内に吸い込まれた空気を前記放熱器および前記加湿フィルタに供給した後に本体外に排出する第二経路とを備え、前記第二経路において前記加湿フィルタ、前記放熱器の順に空気を供給するものであり、本体内に吸い込まれた空気を加湿フィルタに供給して加湿する際の気化潜熱により温度を低下させた後に放熱器に供給することにより、排熱温度を低下させて快適性を向上するとともに凝縮温度を低下させてヒートポンプの効率を向上し電力消費を抑制することができるという作用を有する。
【００２８】
また、本発明の請求項７記載の除湿装置は、第二経路において空気の供給順序を放熱器、加湿フィルタの順に切り換える切換手段を備えたことにより、ヒートポンプの放熱を利用して消費電力を抑えつつ加湿量の大容量化が図れる高効率な加湿運転への切換を行うことができるという作用を有する。
【００２９】
また、本発明の請求項８記載の除湿装置は、室内の湿度を検知する湿度センサーと、加湿フィルタに給水する給水手段とを備え、前記湿度センサーの検出値に基づいて給水手段の運転停止を制御するものであり、所定の湿度まで上昇したら給水手段を停止することにより不必要な湿度上昇による快適性の低下を抑制することができるという作用を有する。
【００３０】
また、本発明の請求項９記載の除湿装置は、室内の温度を検知する温度センサーと、加湿フィルタに給水する給水手段とを備え、前記温度センサーの検出値に基づいて給水手段の運転停止を制御するものであり、所定の温度まで上昇したら給水手段を運転することにより室温の上昇による快適性の低下を抑制することができるという作用を有する。
【００３１】
また、本発明の請求項１０記載の除湿装置は、第一経路と第ニ経路の排気方向が異なるものであり、第一経路からの冷風と第ニ経路からの高湿温風が混ざり合うのを抑制して快適性を維持することができるという作用を有する。
【００３２】
また、本発明の請求項１１記載の空気清浄機は、本体内に吸い込まれた空気を浄化する空気清浄部を備え、上記構成の除湿装置の風上側に前記空気清浄部を配設したものであり、室内の空気を浄化すると同時に、低消費電力で排熱温度の低い除湿を行うことにより、夏季における快適環境を省エネルギーで実現することができるという作用を有する。
【００３３】
以下、本発明の実施の形態について図面を参照しながら説明する。
【００３４】
（実施の形態１）
図１は、本発明にかかる加湿装置および除湿装置を備えた空気清浄機の概略断面図であり、加湿運転を行う場合の状態を示している。図に示すように空気清浄機の本体１の内部に、冷媒を圧縮する圧縮機２と、冷媒が供給空気に放熱する放熱器３と、冷媒を膨張させて減圧する減圧機構４と、冷媒が供給空気から吸熱する吸熱器５とを配管接続してヒートポンプ６を構成しており、圧縮機２は本体１の底部に、また放熱器３と吸熱器５は空気供給が可能なように後述する本体１内に形成された風路内に配設されている。
【００３５】
また、供給される空気に対して加湿を行う加湿フィルタ７が同様に風路内に配設されており、この加湿フィルタ７に給水するため給水手段として水車８および給水タンク９が設けられている。給水タンク９は本体底部に配設されており、この給水タンク９に溜まっている水を水車８が回転することにより上方に汲み上げて加湿フィルタ７に給水する構成となっている。
【００３６】
また、本体１の底部には吸熱器５で発生したドレン水を溜めるための排水タンク１０が設けられており、この排水タンク１０と給水タンク９は、本体１から取り外して清掃が可能なように構成されている。
【００３７】
また、本体１の側面には、部屋の空気を本体１内部に取り入れるための吸気口１１が設けられており、この吸気口１１の所定部に湿度センサー１３および温度センサー１２が付設されている。さらに吸気口１１近傍の内側には集塵フィルタおよび脱臭フィルタから構成される空気清浄部１４が配設されており、この空気清浄部１４も本体１から取り外して清掃や交換が可能なように構成されている。
【００３８】
また、本体１の吸気口１１と同一の側面には排気口１５が設けられており、吸気口１１の逆側の側面には排気口１６が設けられている。そして本体１内部に、この排気口１５と吸気口１１を連結する第一経路１７および吸気口１１と排気口１６を連結する第二経路１８が各々形成された構成となっている。
【００３９】
この第一経路１７内には、吸気口１１から空気を吸引して排気口１５から排出するためのファン１９が配設されており、同様に第二経路１８内にも吸気口１１から空気を吸引して排気口１６から排出するためのファン２０が配設されている。これらファン１９およびファン２０は、両軸のモータ２１に各々連結されており、このモータ２１の駆動によりファン１９およびファン２０が回転して送風動作を行う構成となっている。
【００４０】
そして第一経路１７内の空気清浄部１４の風下側に吸熱器５が配設された構成となっているので、ファン１９により吸気口１１から本体１内に流入した空気が、空気清浄部１４、吸熱器５の順に供給されて排気口１５から本体１の外部に排出されることになる。
【００４１】
一方、第二経路１８内の空気清浄部１４の風下側には、放熱器３および加湿フィルタ７が配設されており、この放熱器３および加湿フィルタ７への空気流通順序を切り換えるための切換手段として、ダンパー２２およびダンパー２３を設けた構成となっている。加湿運転時は、ダンパー２２およびダンパー２３を図１の実線に示した位置に設定することにより、ファン２０により吸気口１１から本体１内に流入した空気が、空気清浄部１４、放熱器３、加湿フィルタ７の順に供給されて排気口１６から本体１外部に排出されることになるのである。
【００４２】
以上の構成において、次に運転動作を説明する。図２は空気の状態変化を示す湿り空気線図であり、図における点Ａは本体１が設置されている部屋の空気状態であり、例えば、冬季の暖房している室内を想定すれば温度２０℃、相対湿度３０％の状態となっている。この点Ａの空気がファン１９の運転により本体１内の第一経路１７に導入されて吸熱器５に供給される。ここで空気は冷媒の吸熱により冷却されて点Ｂの状態、すなわち温度が５℃まで低下して排気口１５から本体１の外部に排出される。
【００４３】
一方、ファン２０も同様に点Ａの状態の空気を本体１内に吸引し、第二経路１８内に導入する。第二経路１８ではダンパー２２、ダンパー２３の切換により、風上側に放熱器３が配置されるので、ここで空気は冷媒の放熱により加熱されて点Ｃの状態、すなわち温度が３５℃まで上昇して下流に位置する加湿フィルタ７に供給される。
【００４４】
加湿フィルタ７には水車８によって給水タンク９から水が供給されており、この水が供給された空気に気化することにより加湿が行われて相対湿度が約９０％まで上昇する。すなわち、点Ｃの状態から湿球温度一定のもと点Ｄまで湿度が上昇し、その時、空気中の絶対湿度が、４．４ｇ／ｋｇ（ＤＡ）から１１．５ｇ／ｋｇ（ＤＡ）まで増加して、その絶対湿度差は、７．１ｇ／ｋｇ（ＤＡ）となる。
【００４５】
因みに放熱器３での加熱が行われずに加湿フィルタ７で加湿した場合は、図中の点Ｅで示した状態となり、その時の絶対湿度は７．７ｇ／ｋｇ（ＤＡ）となり、部屋の空気との絶対湿度差は、３．３ｇ／ｋｇ（ＤＡ）となる。
【００４６】
この値と放熱器３で加熱を行った場合の場合の絶対湿度差とを比較すると放熱器３で加熱を行った場合は、実に倍以上の絶対湿度差が得られており大容量化が図られていることが判る。さらにこの放熱器３における空気加熱はヒートポンプ６を駆動させて行うものであり、通常のヒータ加熱に対して消費電力は約１／３程度に低減できる。つまり消費電力を抑えつつ加湿量の大容量化が実現できることになる。
【００４７】
このような加湿運転を継続していくと部屋の湿度が上昇し、つまり図中の点Ａが上昇し、第一経路１７内に供給された空気が吸熱器５で冷却された際に飽和して空気中の水分が結露することになる。この結露水の発生は加湿に対してはロスとなるため、湿度センサー１３において吸気口１１に吸引される空気の状態をセンシングし、所定の湿度以上になったらヒートポンプ６の作動を停止する、すなわち圧縮機２を停止させるように制御する。これにより吸熱器５での水分凝縮による損失を抑制するとともに、ヒートポンプ６駆動のための電力消費を削減することができる。
【００４８】
また、第一経路１７の排気口１５と、第二経路１８の排気口１６は、本体１の異なる側面に各々開口しているので、排気口１５からの冷風と、排気口１６からの高湿温風が混ざり合わず快適性を維持することができる。
【００４９】
さらに第一経路１７および第二経路１８に供給される空気は、空気清浄部１４において浄化された空気であるので、以上のような効率の良い大容量の加湿運転を行いながら部屋の空気を浄化することができる。
【００５０】
次に除湿運転時について説明する。図３は除湿運転を行う場合の構成を示している。図１で示した加湿運転時との違いは、第二経路１８内の放熱器３と加湿フィルタ７への空気流通順序を切り換えるためのダンパー２２およびダンパー２３の切換位置の相違である。すなわち図１で示した破線位置にダンパー２２およびダンパー２３が設定されており、これによりファン２０によって吸気口１１から本体１内に吸い込まれた空気が、空気清浄部１４、加湿フィルタ７、放熱器３の順に供給されるように切り換えられているのである。
【００５１】
次に運転動作を説明する。図４は、除湿運転時の空気の状態変化を示す湿り空気線図である。図における点Ａは本体１が設置されている部屋の空気状態であり、梅雨の室内を想定して温度２７℃、相対湿度６０％の空気状態となっている。この点Ａの空気がファン１９の運転により本体１内の第一経路１７に導入されて吸熱器５に供給される。ここで空気は冷媒の吸熱により冷却されて点Ｂの状態、すなわち温度が１５℃まで低下して排気口１５から本体１の外部に排出される。この低温空気を人の体に当てることによって涼感が得られて快適性が向上することになる。
【００５２】
一方、ファン２０も同様に点Ａの空気を本体１内に吸引し、第二経路１８内に導入する。第二経路１８ではダンパー２２、ダンパー２３の切換により、風上側に加湿フィルタ７が配置される。この加湿フィルタ７には水車８によって給水タンク９から水が供給されており、この水が供給された空気に気化することにより加湿が行われて相対湿度が約９０％まで上昇するとともに気化熱により温度が低下する。すなわち温度２２℃、湿度９０％の点Ｃの状態となる。
【００５３】
この点Ｃの状態の空気は次に放熱器３に導入され、冷媒の放熱により加熱されて温度が３２℃まで上昇した点Ｄの状態となって排気口１６から本体外部に排出される。因みに加湿フィルタ７で加湿を行わずに放熱器３で加熱した場合は、図中の点Ｅで示した状態となり、排気温度は３７℃まで上昇する。
【００５４】
このように放熱器３に供給する前に加湿フィルタ７で加湿することにより排気温度は約５ｄｅｇ低下し快適性を向上させることができる。さらに放熱器３に流入する空気温度を２７℃から２２℃に下げることにより放熱器３内の冷媒の凝縮温度も低下し、ヒートポンプ６の成績係数が向上する。これにより除湿運転に使用する電力消費を削減することができる。
【００５５】
また、部屋の湿度が高い場合や部屋の温度が高い場合等、空気条件によって加湿フィルタ７での加湿のオンオフを切り換えることにより、さらに快適な環境に制御することが可能となる。すなわち、温度センサー１２および湿度センサー１３において吸気口１１に吸い込まれる空気の状態をセンシングし、所定の湿度以上になったら加湿フィルタ７の給水手段である水車８の回転を停止する。これにより不必要な湿度上昇が抑えられて快適性を維持することができる。そして水車８が停止している状態で、温度センサー１２でセンシングしている空気温度が所定値以上となった場合には水車８を再び駆動させて加湿フィルタ７への給水を再開することより、室温上昇による快適性の低下も抑制することができるのである。
【００５６】
また、第一経路１７の排気口１５と、第二経路１８の排気口１６は、本体１の異なる側面に各々開口しているので、排気口１５からの冷風と、排気口１６からの高湿温風が混ざり合わず快適性を維持することができる。
【００５７】
さらに第一経路１７および第二経路１８に供給される空気は、空気清浄部１４において浄化された空気であるので、以上のような効率の良い除湿運転および冷風供給を行いながら部屋の空気を浄化することができる。
【００５８】
そして、以上のようにダンパー２２およびダンパー２３の切り換えという簡単な操作で、大容量で高効率な加湿運転と、快適で省エネ性の高い除湿運転の切り換えが可能な構成となっているので年間を通じて常に快適な環境を維持することができる。
【産業上の利用可能性】
【００５９】
以上のごとく本発明は、ヒートポンプの放熱を利用して消費電力を抑えつつ加湿量を大容量化することができ、また、加湿する際の気化潜熱を利用して放熱器の冷媒温度を低下させてヒートポンプの効率向上と排熱温度低下による快適性の向上を図ることができ、そして、このような加湿運転や除湿運転を行いながら、部屋の空気を浄化することができるものであるので住宅用途や業務用途のＩＡＱ向上機器として適用することが可能である。
【図面の簡単な説明】
【００６０】
【図１】本発明の実施形態１の加湿装置および除湿装置を備えた空気清浄機の加湿運転時の概略断面図
【図２】同、加湿装置および除湿装置を備えた空気清浄機の加湿運転時の空気状態変化を示す湿り空気線図
【図３】本発明の実施形態１の加湿装置および除湿装置を備えた空気清浄機の除湿運転時の概略断面図
【図４】同、加湿装置および除湿装置を備えた空気清浄機の除湿運転時の空気状態変化を示す湿り空気線図
【符号の説明】
【００６１】
１    本体
２    圧縮機
３    放熱器
４    減圧機構
５    吸熱器
６    ヒートポンプ
７    加湿フィルタ
８    水車
９    給水タンク
１０  排水タンク
１１  吸気口
１２  温度センサー
１３  湿度センサー
１４  空気清浄部
１５  排気口
１６  排気口
１７  第一経路
１８  第二経路
１９  ファン
２０  ファン
２１  モータ
２２  ダンパー
２３  ダンパー
【図１】
2010091168.tif 000003
【図２】
2010091168.tif 000004
【図３】
2010091168.tif 000005
【図４】
2010091168.tif 000006